(57)【要約】【課題】解錠不能となることを防止した遊技機の枠解錠力伝達構造。【解決手段】施錠装置４４のシリンダー錠５４に取り付けられたシリンダーカム１２２の板カム部１２８に延出片部１３０を設け、腕部１２６Ａには延出片部１３０と対向する対向片部１３４を設けて、延出片部１３０と対向片部１３４とにより形成される溝部１３８内にスライド板８０のレバー部１２０を収容する。レバー部１２０が外力等により変形しようとしても、レバー部１２０は延出片部１３０又は対向片部１３４に当たって変形が防がれる。そのため、シリンダー錠５４に鍵Ｋを差し込んで回すことにより生じる解錠力は、旋回されるシリンダーカム１２２からスライド板８０に確実に伝達される。【選択図】　　　　図３
2004068484.tif 000002
【特許請求の範囲】
【請求項１】
鍵による解錠回転力を枠固定機構へ伝達して遊技機枠の固定を解除する遊技機枠の解錠力伝達構造であって、
前記解錠回転力を受けて旋回する駆動部材と、
この駆動部材の回転力を接触により受けて直線移動し、枠固定機構を解錠させる受け部材と、
前記駆動部材と前記受け部材との何れか一方の部材に設けられ、他方の部材の移動方向に沿った両側に配置されて他方の部材の変形を防ぐ変形防止部と、
を有することを特徴とする遊技機の枠解錠力伝達構造。
【請求項２】
前記変形防止部は、前記一方の部材に設けられ他方の部材の接触部を収容する長孔であることを特徴とする請求項１記載の遊技機の枠解錠力伝達構造。
【発明の詳細な説明】
【０００１】
【発明の属する技術分野】
本発明は、遊技機の枠解錠力伝達構造に係り、詳しくは、遊技機に開閉可能に設けられた遊技機枠の施錠状態を解錠するための遊技機の枠解錠力伝達構造に関する。
【０００２】
【従来の技術】
パチンコ機等の遊技機は、特開２０００−９６８９３号公報等に示される施錠装置により、遊技盤を覆う前枠（ガラス枠）が内枠に施錠される、あるいは、内枠が外枠に施錠されるようになっている。また、施錠された前枠等の遊技機枠を解錠するには、図６に示すように、施錠装置１００のシリンダー錠１０２に鍵（図中の矢印Ｋ）を差し込んで回すことにより、シリンダーカム１０４を旋回させて（図中の矢印Ａ方向）解錠回転力を板カム部１０６からスライド板１０８のレバー部１１０に伝達する。この解錠回転力（以下、適宜「解錠力」という）を受けてレバー部１１０が押し下げられるのに伴いスライド板１０８は下方（図中の矢印Ｂ方向）に直線的にスライドし、これにより、施錠装置１００に設けられた枠固定機構による遊技機枠の固定が解除される。
【０００３】
【発明が解決しようとする課題】
しかしながら、上述した従来の解錠力を伝達する構造では、板金製のスライド板１０８に略直角に曲げ形成されたレバー部１１０が、外力等で板カム部１０６の移動経路上から外れるよう変形すると（図中の矢印Ｃ方向）、解錠操作をしても、板カム部１０６はスライド板１０８に接触できずに空振りしてしまうため、遊技機枠を解錠できなくなる恐れがある。
【０００４】
本発明は上記事実を考慮して、施錠された遊技機枠を解錠する解錠力伝達部の変形によって解錠力が伝達されなくなることを防ぎ、解錠不能となることを防止した遊技機の枠解錠力伝達構造を提供することを課題とする。
【０００５】
【課題を解決するための手段】
上記目的を達成するために請求項１に記載の発明は、鍵による解錠回転力を枠固定機構へ伝達して遊技機枠の固定を解除する遊技機枠の解錠力伝達構造であって、前記解錠回転力を受けて旋回する駆動部材と、この駆動部材の回転力を接触により受けて直線移動し、枠固定機構を解錠させる受け部材と、前記駆動部材と前記受け部材との何れか一方の部材に設けられ、他方の部材の移動方向に沿った両側に配置されて他方の部材の変形を防ぐ変形防止部と、を有することを特徴としている。
【０００６】
請求項１に記載の発明では、遊技機の基枠等に開閉可能に設けられた遊技機枠は、施錠装置等により施錠されて固定される。この遊技機枠を解錠するため、施錠装置等に設けられた錠前に鍵を差し込んで回すと、鍵の解錠回転力を受けて駆動部材が旋回し、受け部材に接触して回転力を伝える。駆動部材から回転力を受けた受け部材は直線移動して、例えば、施錠装置等に設けられた枠固定機構を解錠する。これにより、遊技機枠の固定が解除される。
【０００７】
この駆動部材と受け部材との何れか一方の部材には変形防止部が設けられており、他方の部材は変形防止部に当たることで変形が防がれて、旋回される駆動部材から受け部材に解錠力が確実に伝達される。したがって、遊技機枠が解錠不能となることが防止される。
【０００８】
請求項２に記載の発明は、請求項１記載の遊技機の枠解錠力伝達構造において、前記変形防止部は、前記一方の部材に設けられ他方の部材の接触部を収容する長孔であることを特徴としている。
【０００９】
請求項２に記載の発明では、他方の部材に設けられた一方の部材と接触する接触部に外力等が加わり接触部が変形しようとすると、接触部は、一方の部材に設けられた変形防止部としての長孔に収容されているため、その長孔の孔壁面に当たって変形が防がれる。これにより、接触部の変形を確実に防止できるとともに、変形防止部を簡単な構成により実現することができる。
【００１０】
【発明の実施の形態】
以下、図面を参照して本発明の実施の形態について説明する。
【００１１】
［第１の実施形態］
図１には、第１の実施形態に係るパチンコ機が示されており、図２には、そのパチンコ機に設けられた施錠装置の要部概略構成が示されている。
【００１２】
図１に示すように、パチンコ機１０は、パチンコ機１０の外郭部を構成して、パチンコホールのパチンコ機隣接設置部である所謂「島」に固定される矩形状の外枠１２を備えている。外枠１２の前面には矩形額縁状の内枠１４が設けられており、内枠１４は、外枠１２の左側端部に設けられたヒンジ１６Ａ、１６Ｂに左側端部が軸支されて、外枠１２に開閉可能に取り付けられている。
【００１３】
内枠１４の前面上部には、ガラス板１８を装着したガラス枠（前枠）２０が、ヒンジ１６Ａ及び内枠１４の左側端部に設けられたヒンジ１６Ｃに軸支されて開閉可能に取り付けられている。また、内枠１４上部のガラス枠２０裏面側には、交換可能とされた遊技盤２２がセットされて、ガラス枠２０に覆われるようになっている。
【００１４】
内枠１４の前面下部には、遊技球を貯える球皿（図示省略）を備えた皿枠（一体皿ユニット）２４が、ヒンジ１６Ｂ及び内枠１４のヒンジ１６Ｃに軸支されて開閉可能に取付けられている。皿枠２４の前面には、打球の飛距離を調整するための発射ハンドル２６が設けられており、皿枠２４の裏面には、発射ハンドル２６の基端部がネジ止めされてその基端固定部分を補強する板金製の発射ハンドル補強板２８と、球皿に貯められた遊技球が送り込まれる球送り装置３０とが取り付けられている。また、内枠１４下部の皿枠２４裏面側には、遊技盤２２の左下に発射装置３２が配置され、球皿の後方に位置して貯球タンク３４が取り付けられて、それら発射装置３２及び貯球タンク３４は皿枠２４に覆われるようになっている。
【００１５】
内枠１４の裏面側には、貯球タンク３４の上方に位置して賞球払出装置（図示省略）が設けられており、賞球払出装置から払い出された賞球は、貯球タンク３４内に落下されるようになっている。タンク内に入った賞球は、右側へ下り傾斜したタンク底面上をその傾斜下方へ転動して、貯球タンク３４前面の右側端部に形成された排出口３６から排出される。この排出口３６は、皿枠２４に形成された賞球排出口３８と対応して配置されており、賞球排出口３８は皿枠２４の前面に設けられた球皿と連通している。これにより、発射ハンドル２６が遊技者により操作されると、球皿に貯えられている遊技球は、球送り装置３０により一球づつ発射装置３２に供給され、発射装置３２により上方へ発射されて（図１の矢印Ｄ方向）、遊技盤２２の盤面（遊技領域）に打ち込まれる。そして、入賞等により賞球払出装置から賞球が払い出されると、賞球は貯球タンク３４内を通って賞球排出口３８から球皿に排出される。大当たりによる大量の賞球払い出し等により球皿が満杯になった場合は、球皿に貯え切れなくなった分の賞球は貯球タンク３４内に貯球される。
【００１６】
また、排出口３６と賞球排出口３８との各下方位置には、上下方向に移動可能とされたシャッター板４０、４２がそれぞれ設けられている。このシャッター板４０、４２は、皿枠２４が閉塞された状態では各々下方へ移動して排出口３６と賞球排出口３８とを連通させ、皿枠２４が開けられると各々上方へ移動して、シャッター板４０は排出口３６の下縁側を、シャッター板４２は賞球排出口３８の下縁側を塞ぐようになっている。これにより、皿枠２４を開放した際の球皿及び貯球タンク３４からの球こぼれがないようにされている。
【００１７】
また、内枠１４裏面の右側端部には施錠装置４４が設けられている。この施錠装置４４により、内枠１４は外枠１２に施錠され、ガラス枠２０は内枠１４に施錠されるとともに、皿枠２４は内枠１４にロックされて、各枠はそれぞれ閉塞状態に固定されるようになっている。
【００１８】
施錠装置４４は、図２に示すように、断面Ｌ字型で長尺状とされた板金製の基板４６を備えており、この基板４６の前板部４８が内枠１４裏面の右側端縁（上下方向）に沿ってネジ止めされることにより内枠１４に固定されている。さらに、前板部４８の上下方向中央部付近には、鍵５０が挿入される鍵孔５２（図１参照）を備えたシリンダー錠（錠前）５４が２本のネジ５６により取り付けられており、図１に示す施錠装置４４の取付状態では、シリンダー錠５４の鍵孔５２が内枠１４の前面に露出されている。
【００１９】
また、施錠装置４４の上下端部近傍で、外枠１２の右内側面に設けられた一対の係合板５８Ａ、５８Ｂと対応する位置には、後方へ突出された一対の内枠固定用フック６０Ａ、６０Ｂが設けられている。ガラス枠２０裏面の右側端部に取り付けられているガラス枠補強板６２に設けられた一対の係合曲げ部６４Ａ、６４Ｂと対応する位置には、内枠１４に形成されたスリット６６Ａ、６６Ｂを通して前方へ突出された一対のガラス枠固定用フック６８Ａ、６８Ｂが設けられている。さらに、施錠装置４４の下方部で、皿枠２４裏面の発射ハンドル補強板２８に形成された一対の係合開口部７０Ａ、７０Ｂと対応する位置には、内枠１４に形成されたスリット７２Ａ、７２Ｂを通して前方へ突出された一対の皿枠固定用フック７４Ａ、７４Ｂが設けられている。これにより、内枠１４を閉じた際は、内枠固定用フック６０Ａ、６０Ｂが係合板５８Ａ、５８Ｂに係合して内枠１４は外枠１２に固定され、ガラス枠２０を閉じた際は、ガラス枠補強板６２の係合曲げ部６４Ａ、６４Ｂがガラス枠固定用フック６８Ａ、６８Ｂに係合してガラス枠２０は内枠１４に固定される。皿枠２４を閉じた際は、発射ハンドル補強板２８の係合開口部７０Ａ、７０Ｂが皿枠固定用フック７４Ａ、７４Ｂに係合して皿枠２４は内枠１４に固定される。
【００２０】
また、内枠固定用フック６０Ａ、６０Ｂ及びガラス枠固定用フック６８Ａ、６８Ｂは、シリンダー錠５４の鍵孔５２に鍵５０を差し込んで所定方向に回すことにより、係合状態がそれぞれ解除されて解錠されるようになっている。皿枠固定用フック７４Ａ、７４Ｂについては、ガラス枠２０を開放すると露出される施錠装置４４の解除レバー７６を下方へ押し下げることにより、皿枠固定用フック７４Ａ、７４Ｂが下方へスライドして係合開口部７０Ａ、７０Ｂとの係合状態が解除されるようになっている。
【００２１】
次に、上記のガラス枠施錠部を例に、施錠装置４４に設けられたガラス枠固定機構（図２）と解錠力伝達部（図３）について詳細に説明する。ただし、図２及び図３では、図が煩雑化することを避けるため、ガラス枠固定機構以外の内枠固定機構や皿枠固定機構等の図示を省略している。
【００２２】
図２に示すように、施錠装置４４に設けられた基板４６の左側板部７８には、ガラス枠固定機構を構成するとともに解錠力を受ける受け部材としてのスライド板８０が取り付けられている。スライド板８０は、板金製で長尺の略矩形状とされており、上方及び下方部位の各々に、上下方向に沿った一対の長孔８２Ａ、８２Ｂが形成されている。この一対の長孔８２Ａ、８２Ｂには、それぞれカシメピン８４が挿通されて左側板部７８に摺動可能にカシメ固定され、これにより、スライド板８０は上下方向（図中の矢印Ｅ方向）にスライド自在とされている。
【００２３】
また、下側の長孔８２Ｂ近傍にはフック部８６が曲げ形成されている。フック部８６の上方で前板部４８のシリンダー錠５４取付部近傍には、フック部８６と対応するフック部８８が打ち出し形成されている。これらフック部８６、８８の間には引張りコイルバネ９０が架け渡され、この引張りコイルバネ９０のバネ力により、スライド板８０は上方へ付勢されている。
【００２４】
スライド板８０の上下端部には、ガラス枠固定用フック６８Ａ、６８Ｂの後部がそれぞれ連結ピン９２を介して回動自在に連結されている。ガラス枠固定用フック６８Ａ、６８Ｂには、スライド板８０との連結部よりも少し前側にそれぞれ円孔９４が形成されている。この円孔９４にカシメピン９６が挿通されて、ガラス枠固定用フック６８Ａ、６８Ｂは、左側板部７８に回動可能にカシメ固定されている。またその取付状態では、ガラス枠固定用フック６８Ａ、６８Ｂの前部（フック部）は、前板部４８に形成されたスリット状の開口９８Ａ、９８Ｂに挿通されて前方へ突出される。これにより、スライド板８０が下方へスライドすると、ガラス枠固定用フック６８Ａ、６８Ｂは、カシメピン９６に軸支された円孔９４を中心として前部を上方へ移動させる方向（図中の矢印Ｆ方向）に回動し、前述したガラス枠補強板６２の係合曲げ部６４Ａ、６４Ｂとの係合状態を解除する。
【００２５】
また、スライド板８０の上下方向中央部付近には、矩形状のレバー部１２０が右側に略直角に曲げ形成されており、シリンダー錠５４には、このレバー部１２０に解錠力を伝達する駆動部材としてのシリンダーカム１２２がネジ１２４により取り付けられている。
【００２６】
図３（Ａ）に示すように、シリンダーカム１２２は略扇形とされて、Ｖ字状に延出された２本の腕部１２６Ａ、１２６Ｂを備えている。下方に位置する腕部１２６Ｂは、ここでは、説明を省略した内枠固定機構に解錠力を伝達するものであり、上方に位置する腕部１２６Ａが、ガラス枠固定機構に解錠力を伝達するものである。
【００２７】
腕部１２６Ａの先端部には、後方へ略直角に曲げ形成された矩形状の板カム部１２８が設けられている。板カム部１２８の先端部（後端部）には、下方へ延出されてレバー部１２０の上下方向寸法よりも長くされた延出片部１３０が設けられており、延出片部１３０先端の内側の角部には面取り１３２が形成されている。また、腕部１２６Ａの基端部には、延出片部１３０と対向して下方へ延出された略矩形状の対向片部１３４が設けられており、対向片部１３４の先端部には、前方へ鈍角に曲げられた曲げ部１３６が設けられている。
【００２８】
これら延出片部１３０と対向片部１３４とは、図３（Ｂ）に示すように、レバー部１２０の移動方向である上下方向に沿ってレバー部１２０の後面及び前面・両側に平行に配置されるとともに、下側が開口された長孔状の溝部１３８を形成している。この溝部１３８内にレバー部１２０の左右方向中央部付近が配置されて収められている。
【００２９】
次に、本実施形態の作用について説明する。
【００３０】
前述したように、ガラス枠２０を内枠１４に閉じると、ガラス枠補強板６２の係合曲げ部６４Ａ、６４Ｂが施錠装置４４のガラス枠固定用フック６８Ａ、６８Ｂに係合する。このとき、ガラス枠固定用フック６８Ａ、６８Ｂは、引張りコイルバネ９０により上方へ付勢されたスライド板８０によって係合位置に保持される。これにより、ガラス枠２０は内枠１４に閉塞されて、施錠装置４４により固定・施錠される。
【００３１】
また、施錠されたガラス枠２０を解錠するため、シリンダー錠５４の鍵孔５２に鍵５０（図３では鍵５０を矢印Ｋで示す）を差し込み、パチンコ機１０の正面視にて反時計方向に回すと、シリンダーカム１２２は背面視にて時計方向（図３の矢印Ｇ方向）に旋回して板カム部１２８によりレバー部１２０を押し下げる。この板カム部１２８から解錠回転力がレバー部１２０に伝達されたスライド板８０は、レバー部１２０が押し下げられるのに伴い、引張りコイルバネ９０の付勢力に抗して下方（図３の矢印Ｇ方向）に直線的にスライドされる。すると、スライド板８０の上下端部に連結されたガラス枠固定用フック６８Ａ、６８Ｂは係合解除方向（図２の矢印Ｆ方向）に回動して、ガラス枠２０の施錠状態が解錠される。これにより、ガラス枠２０を開放できるようになる。
【００３２】
また、レバー部１２０が外力等で後方へ変形しようとした際は、レバー部１２０は、シリンダーカム１２２の板カム部１２８に設けられた延出片部１３０に当たって変形が防がれる。レバー部１２０が前方へ変形しよとする場合は、レバー部１２０がシリンダーカム１２２の対向片部１３４に当たることにより変形が防がれる。
【００３３】
以上説明したように、本実施の形態に係るパチンコ機１０の枠解錠力伝達構造では、シリンダーカム１２２に変形防止部を構成する延出片部１３０及び対向片部１３４を設けてレバー部１２０の変形を防ぐことにより、旋回されるシリンダーカム１２２からスライド板８０に解錠力が確実に伝達される。したがって、ガラス枠２０が解錠不能となることが防止される。
【００３４】
また、本実施の形態では、延出片部１３０及び対向片部１３４により形成される長孔状の溝部１３８により変形防止部を構成したことで、レバー部１２０の変形を確実に防止できるとともに、変形防止部を簡単な構成により実現できている。
【００３５】
［第２の実施形態］
次に、本発明の第２の実施形態について説明する。この第２の実施形態は、シリンダーカムに設ける変形防止部を変更したものであるが、上記第１の実施形態と同一構成については同じ符合を付してその説明を省略する。
【００３６】
図４（Ａ）に示すように、本実施の形態に係るシリンダーカム１４０も、Ｖ字状に延出された２本の腕部１４２Ａ、１４２Ｂを備えている。上方に位置する腕部１４２Ａの先端部には、下方へ延出された矩形平板状の板カム部１４４が設けられている。この板カム部１４４には、図４（Ｂ）に示すように、レバー部１２０の移動方向（上下方向）に沿って延びる長孔１４６（変形防止部）が形成されており、レバー部１２０は、その長孔１４６に挿通されて収容されている。
【００３７】
これにより、レバー部１２０が前後方向に変形しようとすると、レバー部１２０は、長孔１４６の孔壁面に当たって変形が防がれる。したがって、このような板カム部１４４に設けた長孔１４６によっても、レバー部１２０の変形を防ぐ変形防止部を容易に構成することができる。また、本実施形態の長孔１４６には、第１の実施形態のような開口部分がないため、変形防止部の強度向上も図られている。
【００３８】
［第３の実施形態］
次に、本発明の第３の実施形態について説明する。この第３の実施形態は、レバー部にシリンダーカムの変形を防ぐ変形防止部を設けたものであるが、第１の実施形態と同一構成については同じ符合を付してその説明を省略する。
【００３９】
図５（Ａ）に示すように、本実施の形態に係るシリンダーカム１５０の腕部１５２Ａ先端には、シリンダーカム１５０の旋回方向に沿って湾曲された板カム部１５４が設けられている。この板カム部１５４は、従来のシリンダーカム１０４に設けられた板カム部１０６よりも少し下方へ延出されている。
【００４０】
一方、スライド板８０に設けられたレバー部１５６には、上方が開口されるとともに、板カム部１５４の移動方向にほぼ沿って板カム部１５４の略上面及び略下面・両側に配置される内壁面１５８Ａ、１５８Ｂを有する長孔状の溝部１５８が形成されている。この溝部１５８に、図５（Ｂ）に示すように、板カム部１５４の下部側が収容されている。
【００４１】
これにより、外力等でシリンダーカム１５０の板カム部１５４、あるいは腕部１５２Ａが変形しようと、板カム部１５４が略上下方向に移動すると、板カム部１５４は、レバー部１５６に設けられた溝部１５８の内壁面１５８Ａ、１５８Ｂに当たり変形が防がれる。このように、シリンダーカム１５０の変形についても、スライド板８０のレバー部１５６に設けた変形防止部としての溝部１５８によって防ぐことができるため、シリンダーカム１５０からスライド板８０に解錠力を確実に伝達して、ガラス枠２０が解錠不能となることを防止できる。
【００４２】
以上、本発明を上述した特定の実施形態により詳細に説明したが、本発明はそれに限定されるものではなく、本発明の範囲内にて他の種々の実施形態が可能である。また、本発明は、パチンコ機以外の遊技機に適用することもできる。
【００４３】
【発明の効果】
本発明の遊技機の枠解錠力伝達構造は上記構成としたので、施錠された遊技機枠を解錠する解錠力伝達部の変形が防がれて解錠力が確実に伝達され、解錠不能となることが防止される。
【図面の簡単な説明】
【図１】本発明の第１の実施形態に係るパチンコ機を示した斜視図である。
【図２】本発明の第１の実施形態に係る施錠装置の要部概略構成を示した分解斜視図である。
【図３】（Ａ）は、本発明の第１の実施形態に係るシリンダーカム及びスライド板のレバー部付近を示した拡大斜視図であり、（Ｂ）は（Ａ）の矢印３Ｂ方向から見た図である。
【図４】（Ａ）は、本発明の第２の実施形態に係るシリンダーカム及びスライド板のレバー部付近を示した拡大斜視図であり、（Ｂ）は（Ａ）の矢印４Ｂ方向から見た図である。
【図５】（Ａ）は、本発明の第３の実施形態に係るシリンダーカム及びスライド板のレバー部付近を示した拡大斜視図であり、（Ｂ）は（Ａ）の矢印５Ｂ方向から見た図である。
【図６】従来のシリンダーカム及びスライド板のレバー部付近を示した拡大斜視図である。
【符号の説明】
１０　　　　パチンコ機（遊技機）
１４　　　　内枠（遊技機枠）
２０　　　　ガラス枠（遊技機枠）
４４　　　　施錠装置
５０　　　　鍵
６８Ａ　　　ガラス枠固定用フック（枠固定機構）
８０　　　　スライド板（受け部材／枠固定機構）
１２０　　　　レバー部（他方の部材の接触部）
１２２　　　　シリンダーカム（駆動部材）
１２８　　　　板カム部
１３０　　　　延出片部（変形防止部）
１３４　　　　対向片部（変形防止部）
１３８　　　　溝部（変形防止部／長孔）
１４０　　　　シリンダーカム（駆動部材）
１４４　　　　板カム部
１４６　　　　長孔（変形防止部）
１５０　　　　シリンダーカム（駆動部材）
１５４　　　　板カム部（他方の部材の接触部）
１５６　　　　レバー部
１５８　　　　溝部（変形防止部／長孔）
【図１】
2004068484.tif 000003
【図２】
2004068484.tif 000004
【図３】
2004068484.tif 000005
【図４】
2004068484.tif 000006
【図５】
2004068484.tif 000007
【図６】
2004068484.tif 000008